(57)【特許請求の範囲】
【請求項１】
監視制御装置本体により被監視制御対象の監視制御を行う監視制御装置において、前記監視制御装置本体に接続され、異なる態様のキー配列を選択的にタッチパネル付きディスプレイへ表示する可変キー手段を有する専用キーボードを備え、前記監視制御装置本体による監視制御機能の選択に応じて、前記監視制御装置本体において選択された前記監視制御機能に適したキー配置情報を前記監視制御装置本体から前記専用キーボードへ送信し、このキー配置情報に基づいて前記可変キー手段により、前記監視制御機能に対応した態様の専用キーボードとしてのキー配列を前記タッチパネル付きディスプレイに表示するとともに、前記監視制御装置本体から前記監視制御機能に係る被監視制御対象の動作状態を示す情報を動作状態情報として前記専用キーボードへ送信し、この動作状態情報に基づいて前記専用キーボードとしてのタッチパネル付きディスプレイに被監視制御対象の情報を表示するものであって、前記専用キーボードとしてのキー配列は、前記タッチパネル付きディスプレイに表示された被監視制御対象の動作状態を示す情報に対応して最適なものとされることを特徴とする監視制御装置。
【請求項２】
前記専用キーボードにおいて、数値入力を行う機能を実現する場合、前記タッチパネル付きディスプレイに数値入力エリアを表示するとともに、数値入力における入力値の上限値および下限値を表示する数値表示手段を設けたことを特徴とする請求項１に記載の監視制御装置。
【請求項３】
前記専用キーボードにおいて、日本語変換を行う場合、前記タッチパネル付きディスプレイに変換中の文字列を表示する変換文字列表示手段を設けたことを特徴とする請求項１または請求項２に記載の監視制御装置。
【請求項４】
前記専用キーボードにおいて、操作員の個人情報に応じて前記タッチパネル付きディスプレイに表示するキー配置を変更可能とするキー配置変更手段を設けたことを特徴とする請求項１から請求項３までのいずれかに記載の監視制御装置。
【請求項５】
前記専用キーボードにおいて、操作員に係る個人毎の操作権限に応じて操作員が操作できるキーを制限するとともに、操作制限状況を表示する操作制限表示手段を設けたことを特徴とする請求項１から請求項４までのいずれかに記載の監視制御装置。
【発明の詳細な説明】
【技術分野】
【０００１】
この発明は、監視制御装置、特に、プラント監視装置の専用キーボードに関するものである。
【背景技術】
【０００２】
従来のプラント監視装置では、監視画面の機能を操作しやすいように、専用キーボードが利用されている。
専用キーボードでは、機能毎のキーを用意すると大型化するため、タッチパネル付き液晶ディスプレイ等を利用し、ディスプレイ部分に、機能毎に最適に配置されたキーを表示する専用キーボードが提案されている（例えば、特許文献１参照）が、ディスプレイ部分に表示されるキー形状や、配置に関するもので、プラント状態などの附加情報を表示することは、提案されていなかった。
【０００３】
【特許文献１】特開平４−３０６７１９号公報
【発明の開示】
【発明が解決しようとする課題】
【０００４】
従来技術において、専用キーボードのディスプレイ部分には、機能毎に特化したキー配置は表示されるが、機能に応じてキー配列を変えることや、プラント状態の表示、あるいは、操作員の個人差によるキー配置変更等は行われないため、操作性に問題があった。
【０００５】
この発明は、監視制御装置本体による監視制御機能の切換えに応じてキー配列を適応できるとともに、被監視制御対象における作動状態に応じて適切な操作を的確かつ迅速に行える専用キーボードを備えた監視制御装置を得ようとするものである。
【課題を解決するための手段】
【０００６】
この発明に係る監視制御装置では、監視制御装置本体により被監視制御対象の監視制御を行う監視制御装置において、前記監視制御装置本体に接続され、異なる態様のキー配列を選択的にタッチパネル付きディスプレイへ表示する可変キー手段を有する専用キーボードを備え、前記監視制御装置本体による監視制御機能の選択に応じて、前記監視制御装置本体において選択された前記監視制御機能に適したキー配置情報を前記監視制御装置本体から前記専用キーボードへ送信し、このキー配置情報に基づいて前記可変キー手段により、前記監視制御機能に対応した態様の専用キーボードとしてのキー配列を前記タッチパネル付きディスプレイに表示するとともに、前記監視制御装置本体から前記監視制御機能に係る被監視制御対象の動作状態を示す情報を動作状態情報として前記専用キーボードへ送信し、この動作状態情報に基づいて前記専用キーボードとしてのタッチパネル付きディスプレイに被監視制御対象の情報を表示するものであって、前記専用キーボードとしてのキー配列は、前記タッチパネル付きディスプレイに表示された被監視制御対象の動作状態を示す情報に対応して最適なものとされるようにしたものである。
【発明の効果】
【０００７】
この発明によれば、監視制御装置本体による監視制御機能の選択に応じて監視制御装置本体から専用キーボードに送信される監視制御機能に適したキー配置情報によりキー配列を的確に適応できるとともに、監視制御装置本体から送信される被監視制御対象における動作状態情報に応じて適切な操作を的確かつ迅速に行える専用キーボードを備えた監視制御装置を得ることができる。
【発明を実施するための最良の形態】
【０００８】
実施の形態１．
この発明による実施の形態１（各種プラント情報を附加した事例）を図１および図２について説明する。図１は実施の形態１における表示構成を示す正面図である。図２は実施の形態１における作動手順を示すフローチャートである。
【０００９】
図１において、プラント等の被監視制御対象について監視制御を行う監視プラント監視装置本体（Ｔ１）には、専用キーボード（ＫＢ）が接続されている。
専用キーボード（ＫＢ）には、テンキー（Ｔ２）や、ファンクションキー（Ｔ３）などの、利用頻度の高い固定キー部が設けられるとともに、タッチパネル付き液晶ディスプレイからなる可変キー部（Ｔ４）が設けられている。
専用キーボード（ＫＢ）におけるタッチパネル付き液晶ディスプレイからなる可変キー部（Ｔ４）には、プラント監視装置本体（Ｔ１）に表示されている機能に合わせて、プラント監視装置本体（Ｔ１）からキー配置信号が送信され、可変キー部（Ｔ４）上に、機能毎に最適なキー配置が表示される。
【００１０】
前述のように、プラント監視装置（Ｔ１）に接続される専用キーボード上のキーは、テンキー（Ｔ２）や、ファンクションキー（Ｔ３）などの、利用頻度の高い固定キー部と、タッチパネル付き液晶ディスプレイを利用し機能毎に、キー配置の変更を可能とした可変キー部（Ｔ４）から構成される。
可変キー部（Ｔ４）へは、プラント監視装置本体（Ｔ１）に表示されている機能に合わせて、キー配置が送信され、可変キー部（Ｔ４）上に、機能毎に最適なキー配置が表示される。
その際、プラント監視装置本体（Ｔ１）から可変キー部（Ｔ４）を操作した時に表示される画面で、利用しているプラント内の各機器の故障状態や確認状況といった付属情報も入手すること（図２：ステップＳＰ１６）で、重故障は赤、中故障は橙、軽故障は黄といった故障の重要性に応じた色を可変キー部（Ｔ４）のキーに表示する（図２：ステップＳＫ１４）ことが可能となる。
また、発生中の故障が既に確認済みかを判断できるように、可変キー部（Ｔ４）のキーを、未確認の場合は点滅、確認が完了していれば点灯と、表示を変更することで、可変キー部（Ｔ４）におけるどのキーを選択すべきか緊急度を把握することが可能となる。
【００１１】
このような専用キーボード（ＫＢ）における可変キー部（Ｔ４）に係る動作を図１および図２について詳述する。
プラント監視装置本体（Ｔ１）において、その監視制御機能を選択し（図２：ステップＳＰ１１）、例えばプラント各部の動作状態確認機能を行う場合には、プラント各部動作状態確認機能に必要な制御動作を行うとともに、そのプラント各部動作状態確認機能に最適なキー配置情報を専用キーボード（ＫＢ）へ送信する（図２：ステップＳＰ１２）。
専用キーボード（ＫＢ）では、プラント監視装置本体（Ｔ１）からプラント各部動作状態確認機能に最適なキー配置情報を受信し（図２：ステップＳＫ１１）、受信したキー配置情報に基づきタッチパネル付き液晶ディスプレイで構成された可変キー部（Ｔ４）においてプラント各部動作状態確認機能に最適なキー配列を表示する（図２：ステップＳＫ１２）。
そのキー配列は、図１に示すように、マトリックス状に配置されたキー要素（Ａ１〜７，Ｂ１〜７，Ｃ１〜７，…，Ｈ１〜７）のそれぞれがプラント各部を構成するプラント要素に対応し、マトリックス状に配置されたキー要素（Ａ１〜７，Ｂ１〜７，Ｃ１〜７，…，Ｈ１〜７）のいずれか例えばキー要素（Ｃ３）を押圧することにより、押圧されたキー要素（Ｃ３）に対応するプラント要素の動作状態がプラント監視装置本体（Ｔ１）に表示されるようにするためのものである。
【００１２】
専用キーボード（ＫＢ）の可変キー部（Ｔ４）においてプラント各部動作状態確認機能に最適なキー配置が表示されると、プラント監視装置本体（Ｔ１）は、専用キーボード（ＫＢ）においてマトリックス状に配置されたキー要素（Ａ１〜７，Ｂ１〜７，Ｃ１〜７，…，Ｈ１〜７）のそれぞれについて、該当キー要素で利用している対応するプラント要素についての故障状態等の動作状態を示すプラント情報信号を取得し（図２：ステップＳＰ１３）、当該プラント情報信号の状態により色／ブリンク設定を決定する処理を行う（図２：ステップＳＰ１４）。
このような設定処理が全キーについて完了したことを判別し（図２：ステップＳＰ１５）、専用キーボード（ＫＢ）の可変キー部（Ｔ４）における各キー要素（Ａ１〜７，Ｂ１〜７，Ｃ１〜７，…，Ｈ１〜７）についての前記ステップＳ２４で設定処理された色／ブリンク設定情報を専用キーボード（ＫＢ）へ送信する（図２：ステップＳＰ１６）。
【００１３】
専用キーボード（ＫＢ）は、色／ブリンク設定情報を受信し（図２：ステップＳＫ１３）、可変キー部（Ｔ４）における各キー要素について、受信した色設定情報に基づく色をキー面に表示し、受信したブリンク情報に基づくブリンク速度でキー面における表示ブリンク動作を行う（図２：ステップＳＫ１４）。
この色設定情報は、前述のように、可変キー部（Ｔ４）における各キー要素（Ａ１〜７，Ｂ１〜７，Ｃ１〜７，…，Ｈ１〜７）について、対応するプラント要素が重故障の場合は赤色の表示がされ、中故障の場合は橙色の表示がされ、軽故障の場合は黄色の表示がされるというように、故障の重要性に応じた色を表示するようにされている。
また、前記ブリンク情報は、発生中の故障が既に確認済みかを判断できるように、可変キー部（Ｔ４）における各キー要素（Ａ１〜７，Ｂ１〜７，Ｃ１〜７，…，Ｈ１〜７）について、対応するプラント要素の動作状態を未確認の場合は点滅表示し、確認が完了していれば点灯表示するように、ブリンク表示を変更するようにされている。
したがって、例えばキー要素（Ｃ３）が赤色で点滅表示されている場合には、対応するプラント要素が重故障状態にあり、しかも、その動作状態が未確認であることが、一目瞭然の形で表示されることになり、キー要素（Ｃ３）についての処理を行うことが最優先の緊急作業であることになる。キー要素（Ｃ３）を押圧し選択することにより、プラント監視装置本体（Ｔ１）にキー要素（Ｃ３）と対応するプラント要素の動作状態が表示される。
【００１４】
以上のように、この発明による実施の形態１では、プラントの状態に応じて、緊急度の高い画面を専用キーボード（ＫＢ）から即座に判断できるようになり、必要な操作を素早く行うことが可能となる。
【００１５】
この発明による実施の形態１によれば、監視制御装置本体（Ｔ１）により被監視制御対象の監視制御を行う監視制御装置において、前記監視制御装置本体（Ｔ１）に接続され、異なる態様のキー配列を選択的にタッチパネル付きディスプレイ（ＴＰ）へ表示する可変キー手段（Ｔ４）を有する専用キーボード（ＫＢ）を備え、前記監視制御装置本体（Ｔ１）による監視制御機能の切換えに応じて、前記監視制御機能に対応した態様の専用キーボードとしてのキー配列を前記タッチパネル付きディスプレイ（ＴＰ）に表示するとともに、前記専用キーボード（ＫＢ）としてのタッチパネル付きディスプレイ（ＴＰ）に被監視制御対象における故障状態等の作動状態情報を表示するようにしたので、監視制御装置本体による監視制御機能の切換えに応じてキー配列を適応できるとともに、被監視制御対象における作動状態に応じて適切な操作を的確かつ迅速に行える専用キーボードを備えた監視制御装置を得ることができる。
【００１６】
実施の形態２．
この発明による実施の形態２（プラントへ数値設定を行う事例）を図１および図３について説明する。図１は実施の形態２における表示構成を示す正面図である。図３は実施の形態２における作動手順を示すフローチャートである。
この実施の形態２において、ここで説明する特有の構成以外の構成については、先に説明した実施の形態１における構成と同一の構成内容を具備し、同様の作用を奏するものである。
【００１７】
実施の形態２での専用キーボード（ＫＢ）における可変キー部（Ｔ４）に係る動作を図１および図３について説明する。
プラント監視装置本体（Ｔ１）で、各プラント機器の設定値を変更するために、数値入力の要求がある場合、その設定値変更機能を選択し（図３：ステップＳＰ２１）、プラント監視装置本体（Ｔ１）は専用キーボード（ＫＢ）に数値入力情報を送信する（図３：ステップＳＰ２２）。
専用キーボード（ＫＢ）では、プラント監視装置本体（Ｔ１）から数値入力情報を受信し（図３：ステップＳＫ２１）、受信した数値入力情報に基づきタッチパネル付き液晶ディスプレイ（ＴＰ）における可変キー部（Ｔ４）上に数値表示エリア（Ｔ５）が表示される。このとき、タッチパネル付き液晶ディスプレイ（ＴＰ）における可変キー部（Ｔ４）には、上限値エリア（Ｔ６）および下限値エリア（Ｔ７）が表示される（図３：ステップＳＫ２２）。
【００１８】
次に、プラント監視装置本体（Ｔ１）は専用キーボード（ＫＢ）へ上限値／下限値情報を送信する（図３：ステップＳＰ２３）。
専用キーボード（ＫＢ）では、プラント監視装置本体（Ｔ１）から上限値／下限値情報を受信し（図３：ステップＳＫ２３）、受信した上限値／下限値情報に基づきタッチパネル付き液晶ディスプレイ（ＴＰ）における可変キー部（Ｔ４）上の上限値エリア（Ｔ６）および下限値エリア（Ｔ７）に上限値および下限値が表示される（図３：ステップＳＫ２４）。
【００１９】
専用キーボード（ＫＢ）において、設定値変更機能としての数値入力が完了したかどうかを判別し（図３：ステップＳＫ２５）、数値入力が完了していれば、入力値の上限および下限が正常かどうかを判別する（図３：ステップＳＫ２６）。
入力値の上限および下限が正常であれば、入力された数値をプラント監視装置本体（Ｔ１）に送信する（図３：ステップＳＫ２７）。
プラント監視装置本体（Ｔ１）は専用キーボード（ＫＢ）からの入力数値情報を受信する（図３：ステップＳＰ２４）。
【００２０】
以上のように、この発明による実施の形態２では、プラントへの数値設定を専用キーボード（ＫＢ）上で行なう場合、入力可能な範囲が専用キーボード（ＫＢ）に表示されるため、必要な操作を素早く行うことが可能となる。
【００２１】
この発明による実施の形態２によれば、実施の形態１における構成において、専用キーボード（ＫＢ）で数値入力を行う機能を実現する場合、数値入力エリア（Ｔ５）を表示するとともに、上限値および下限値を上限値表示エリア（Ｔ６）および下限値表示エリア（Ｔ７）に表示する上限値／下限値表示手段を設けたので、監視制御装置本体による監視制御機能の切換えに応じてキー配列を適応できるとともに、必要な数値入力操作を素早く行える専用キーボードを備えた監視制御装置を得ることができる。
【００２２】
実施の形態３．
この発明による実施の形態３（日本語入力を行なう事例）を図４および図５について説明する。図４は実施の形態３における表示構成を示す正面図である。図５は実施の形態３における作動手順を示すフローチャートである。
この実施の形態３において、ここで説明する特有の構成以外の構成については、先に説明した実施の形態１および実施の形態２における構成と同一の構成内容を具備し、同様の作用を奏するものである。図中、同一符号は同一または相当部分を示す。
【００２３】
実施の形態３での専用キーボード（ＫＢ）における可変キー部（Ｔ４）に係る動作を図４および図５について説明する。
プラント監視装置本体（Ｔ１）で、操作を行なう機器を選択する場合など、機器の名称を日本語で入力する場合がある。この場合、専用キーボード（ＫＢ）から入力された文字は、プラント監視装置本体（Ｔ１）の日本語変換処理（Ｔ８）で、ローマ字→カナ→漢字へと日本語変換される。この変換途中の文字列を、専用キーボード（ＫＢ）上の可変キー（Ｔ４）上に表示された日本語入力エリア（Ｔ９）上に変換中の文字列をフィードバックして表示する（図５：ステップＳＫ３４／ＳＫ３６）。
【００２４】
すなわち、プラント監視装置本体（Ｔ１）で、監視制御機能を選択し（図５：ステップＳＰ３１）、その機能が日本語入力操作を伴う場合、プラント監視装置本体（Ｔ１）は専用キーボード（ＫＢ）に日本語入力情報を送信する（図５：ステップＳＰ３２）。
専用キーボード（ＫＢ）では、プラント監視装置本体（Ｔ１）から日本語入力情報を受信し（図５：ステップＳＫ３１）、タッチパネル付き液晶ディスプレイ（ＴＰ）上に日本語入力エリア（Ｔ９）を表示する（図５：ステップＳＫ３２）。
専用キーボード（ＫＢ）でローマ字入力を行い、これをプラント監視装置本体（Ｔ１）に送信すると（図５：ステップＳＫ３３）、プラント監視装置本体（Ｔ１）は専用キーボード（ＫＢ）からのローマ字を受信し（図５：ステップＳＰ３３）、カナ変換を行って専用キーボード（ＫＢ）へ送信する（図５：ステップＳＰ３４）。
専用キーボード（ＫＢ）では、プラント監視装置本体（Ｔ１）から受信したカナを日本語入力エリア（Ｔ９）に表示する（図５：ステップＳＫ３４）。
専用キーボード（ＫＢ）で漢字変換キー入力操作を行うと（図５：ステップＳＫ３５）、プラント監視装置本体（Ｔ１）は専用キーボード（ＫＢ）からの漢字変換キー入力情報を受信し（図５：ステップＳＰ３５）、この漢字変換キー入力情報に基づいてカナ→漢字変換処理を行い、変換後の漢字を専用キーボード（ＫＢ）へ送信する（図５：ステップＳＰ３６）。
専用キーボード（ＫＢ）は、プラント監視装置本体（Ｔ１）から漢字を受信し、受信した漢字を日本語入力エリア（Ｔ９）に表示する（図５：ステップＳＫ３６）。そして、専用キーボード（ＫＢ）は、確定キー入力が行われたことを判別して（図５：ステップＳＫ３７）、プラント監視装置本体（Ｔ１）へ確定キー入力情報を送信する（図５：ステップＳＫ３８）。
プラント監視装置本体（Ｔ１）では、専用キーボード（ＫＢ）から受信した確定キー入力情報に基づいて漢字確定処理を行う（図５：ステップＳＰ３７）。
【００２５】
以上のように、この発明による実施の形態３では、プラント監視装置にて、日本語文字列情報を入力する場合、操作員のキー入力の熟練度が低く、ブラインドタッチを行えない場合でも、目線の移動が少なく、日本語変換の過程を確認しながら可能であり、必要な操作を素早く行なうことが可能となる。
【００２６】
この発明による実施の形態３によれば、実施の形態１または実施の形態２における構成において、専用キーボード（ＫＢ）で日本語変換を行う場合、前記タッチパネル付きディスプレイ（ＴＰ）に変換中の文字列を表示する変換文字列表示手段を設けたので、監視制御装置本体による監視制御機能の切換えに応じてキー配列を適応できるとともに、必要な日本語入力操作を素早く行える専用キーボードを備えた監視制御装置を得ることができる。
【００２７】
実施の形態４．
この発明による実施の形態４（日本語入力を行なう事例２）を図６について説明する。図６は実施の形態４における表示構成を示す正面図である。
この実施の形態４において、ここで説明する特有の構成以外の構成については、先に説明した実施の形態１から実施の形態３までにおける構成と同一の構成内容を具備し、同様の作用を奏するものである。図中、同一符号は同一または相当部分を示す。
【００２８】
実施の形態３での専用キーボード（ＫＢ）における可変キー部（Ｔ４）に係る動作を図６について説明する。
日本語入力を行なう場合、一般的には、通常キーボード配置（Ｔ１０）で、ローマ字を入力し、カナ→漢字へと変換を行なうが、キーボード操作になれていない操作員は、通常キーボード配置（Ｔ１０）でのローマ字入力より５０音順キーボード配置（Ｔ１１）から直接カナ入力を行なう方が、操作が簡単である。
そこで、プラント監視装置本体（Ｔ１）へのログイン毎に操作員を認証し、操作員の個人情報に応じて通常キーボード配置（Ｔ１０）と、５０音順キーボード配置（Ｔ１１）を切替え可能とする。
【００２９】
以上のように、この発明による実施の形態４では、専用キーボード（ＫＢ）を利用する操作員の好みに応じて、通常キーボードと５０音順キー配置を切替えることで、操作性を良くすることが可能となる。
【００３０】
この発明による実施の形態４によれば、実施の形態１から実施の形態３までのいずれかの構成において、前記専用キーボード（ＫＢ）で日本語変換を行う場合、操作員の個人毎の情報を得ることで、操作員の個人情報に応じて前記タッチパネル付き液晶ディスプレイ（ＴＰ）に表示するローマ字入力を行う通常キーボード配置（Ｔ１０）や、直接カナ入力を行う５０音順キーボード配置（Ｔ１１）などのキー配置を変更可能とするキー配置変更手段を設けたので、監視制御装置本体による監視制御機能の切換えに応じてキー配列を適応できるとともに、日本語入力操作を操作員の個性に応じて円滑に行える専用キーボードを備えた監視制御装置を得ることができる。
【００３１】
実施の形態５．
この発明による実施の形態５（操作権限によるキー表示の抑制）を図７および図８について説明する。図７は実施の形態５における表示構成を示す正面図である。図８は実施の形態５における作動手順を示すフローチャートである。
この実施の形態５において、ここで説明する特有の構成以外の構成については、先に説明した実施の形態１から実施の形態４までにおける構成と同一の構成内容を具備し、同様の作用を奏するものである。図中、同一符号は同一または相当部分を示す。
【００３２】
実施の形態５での専用キーボード（ＫＢ）における可変キー部（Ｔ４）に係る動作を図７および図８について説明する。
プラント監視装置（Ｔ１）で操作を行なう場合、操作員のスキルに応じて、データの参照のみで、データの更新をできなくするなど、操作を制限する（Ｓ６）場合がある。
そこで、プラント監視装置（Ｔ１）へのログインごとに操作員を認証し、操作員の権限に応じて、操作可能キー（Ｔ１２）のみを可変キー（Ｔ４）部分に表示し、操作不可キー（Ｔ１３）は、見え消し状態とする（図８：ステップＳＰ４３）。
【００３３】
すなわち、プラント監視装置本体（Ｔ１）で、監視制御機能を選択すると（図８：ステップＳＰ４１）、選択された機能に最適のキー配置情報を専用キーボード（ＫＢ）へ送信し（図８：ステップＳＰ４２）、操作員の個人毎の情報によるユーザ情報を元に、操作員の権限有無を確認して使用制限のチェックを行う（図８：ステップＳＰ４３）。そのチェック結果に基づいて使用制限情報を専用キーボード（ＫＢ）へ送信する（図８：ステップＳＰ４４）。
専用キーボード（ＫＢ）では、プラント監視装置本体（Ｔ１）からキー配置情報を受信する（図８：ステップＳＫ４１）とともに、使用制限情報を受信し（図８：ステップＳＫ４２）、プラント監視装置本体（Ｔ１）から受信したキー配置情報および使用制限情報を元にタッチパネル付き液晶ディスプレイ（ＴＰ）上に明瞭表示部分および使用制限による見え消し部分を含むキー配置を表示する（図８：ステップＳＫ４３）。
専用キーボード（ＫＢ）においてキー入力が行われると（図８：ステップＳＫ４４）、専用キーボード（ＫＢ）は、入力操作されたキーが操作制限キーかどうかを判別し（図８：ステップＳＫ４５）、入力操作されたキーが操作制限キーでない場合に限り、操作キー情報をプラント監視装置本体（Ｔ１）に送信する（図８：ステップＳＫ４６）。
プラント監視装置本体（Ｔ１）は、専用キーボード（ＫＢ）から受信した操作キー情報に基づきキー毎の処理を実行する（図８：ステップＳＰ４５）。
【００３４】
以上のように、この発明による実施の形態５では、専用キーボード（ＫＢ）を利用する操作員の権限に応じて、操作可能キー／操作不可キーの表示を切替えるため、操作が可能な範囲が一目で判断可能となる。
【００３５】
この発明による実施の形態５によれば、実施の形態１から実施の形態４までのいずれかの構成において、前記専用キーボード（ＫＢ）で操作を行う場合、操作員の個人毎の情報を得ることで、操作員に係る個人毎の操作権限に応じて操作員が操作できるキーを制限するとともに、操作制限状況を表示する操作制限表示手段を設けたので、監視制御装置本体による監視制御機能の切換えに応じてキー配列を適応できるとともに、操作制限を的確に行え、しかも、操作制限状態を容易に把握できる専用キーボードを備えた監視制御装置を得ることができる。
【図面の簡単な説明】
【００３６】
【図１】この発明による実施の形態１および実施の形態２における各種プラント情報を附加した場合の表示構成を示す正面図である。
【図２】この発明による実施の形態１における各種プラント情報の附加までの作動手順を示すフローチャートである。
【図３】この発明による実施の形態２における各種プラント情報の附加までの作動手順を示すフローチャートである。
【図４】この発明による実施の形態３における日本語入力操作を行なう場合の表示構成を示す正面図である。
【図５】この発明による実施の形態３における各種プラント情報の附加までの作動手順を示すフローチャートである。
【図６】この発明による実施の形態４における日本語入力操作を行なう場合の表示構成を示す正面図である。
【図７】この発明による実施の形態５における操作権限による制限の表示構成を示す正面図である。
【図８】この発明による実施の形態５における操作権限による制限までの作動手順を示すフローチャートである。
【符号の説明】
【００３７】
ＫＢ  専用キーボード、Ｔ１  監視制御装置本体、Ｔ２  テンキー、Ｔ３  ファンクションキー、Ｔ４  可変キー部、Ｔ５  数値入力エリア、Ｔ６  上限値エリア、Ｔ７  下限値エリア、Ｔ８  日本語変換処理部、Ｔ９  日本語入力エリア、Ｔ１０  通常キーボード配置、Ｔ１１  ５０音順キーボード配置、Ｔ１２  操作可能キー、Ｔ１３  操作不可キー。
【図１】
0004726418.tif 000002
【図２】
0004726418.tif 000003
【図３】
0004726418.tif 000004
【図４】
0004726418.tif 000005
【図５】
0004726418.tif 000006
【図６】
0004726418.tif 000007
【図７】
0004726418.tif 000008
【図８】
0004726418.tif 000009